(57)【要約】【課題】小型にして携行を容易にするとともに、飛行機、バス、電車内等で簡便に使用することができる足裏簡易マッサージ器を得る。【解決手段】足裏（１０ａ，１１ａ）に局部的に当接する揉みローラー（５）を設け、該揉みローラー（５）を上方に突出させて回転自在に支持するベース（２）を設ける。また、前記揉みローラー（５）に永久磁石（７）を内装し、揉みローラー（５）の外周に多数の突起（６ａ）を設ける。また、上記揉みローラー（５）を左右の足裏（１０ａ，１１ａ）に対応せさて左右に離間配置し、各揉みローラー（５）を支持するベース（２−１）を左右中心部で分割又は折畳み可能とする。【選択図】図１
2005288137.tif 000002
【特許請求の範囲】
【請求項１】
足裏（１０ａ，１１ａ）に局部的に当接する揉みローラー（５）を設け、該揉みローラー（５）を上方に突出させて回転自在に支持するベース（２）を設けたことを特徴とする足裏簡易マッサージ器。
【請求項２】
揉みローラー（５）に永久磁石（７）を内装したことを特徴とする請求項１記載の足裏簡易マッサージ器。
【請求項３】
揉みローラー（５）の外周に多数の突起（６ａ）を設けたことを特徴とする請求項１又は２記載の足裏簡易マッサージ器。
【請求項４】
揉みローラー（５）を左右の足裏（１０ａ，１１ａ）に対応せさて左右に離間配置し、各揉みローラー（５）を支持するベース（２−１）は左右中心部で分割又は折畳み可能としたことを特徴とする請求項１〜３いずれか１項に記載の足裏簡易マッサージ器。
【発明の詳細な説明】
【技術分野】
【０００１】
本発明は、足裏のつぼ部に刺激を付与したり、足裏の筋肉をほぐしたりして血行を促進する足裏簡易マッサージ器に関するものである。
【背景技術】
【０００２】
足裏に刺激を付与したり、足裏の筋肉をほぐしたりして血行を促進するものとして、特開２００３−３３９８１３公報、特開２００３−２９０３１４公報に記載されたものがあった。前者のもの、即ち特開２００３−３３９８１３公報に記載されたものは、受台に脚を介してアームを起立支持するとともに、該アームの上端に把手を、下端に軸受をそれぞれ取り付け、軸受に主軸を水平軸心を中心として回転自在に取り付け、該主軸の両端にＬ形に屈曲したレバーを互いに１８０度位相をずらせて取り付けるとともに、各レバーの先端部にローラーを回転自在に取り付けるようにしたものである。
【０００３】
上記前者のものは、椅子に腰掛けて把手を握り、左右の足で各ローラーを踏み込むと、主軸が回転して足がシーソーのように回転して足部の筋肉をほぐすとともに、ローラーが足裏を加圧してこの部に刺激を付与することになる。しかしながら、上記ローラーは主軸を回転させるＬ形レバーの先端部に取付けられているため、足裏の限られた部分を加圧するのみとなり、足裏を揉みほぐす機能が乏しいものであった。また、装置が大型になって気軽に携行することができないとともに、使用する際には広い設置場所を要することになる。このため、例えば旅行、あるいは出張時等における飛行機内の座席部、あるいはバス、電車内等の座席部で簡便に使用することができないものであった。
【０００４】
また、後者のもの、即ち、特開２００３−２９０３１４公報に記載されたものは、片足が載置できる大きさの形状とした一対の基板に、高さの異なる多数の中空ピンを足の反射療法における反射区域（刺激つぼ部）に対応させて起立固定するようにしたものである。このものは、起立固定した多数の中空ピンが単に足裏を加圧するのみであるため、足裏を揉みほぐす機能が乏しいものであった。また、高さの異なる多数の中空ピンを足の刺激つぼ部に対応する如く配列して基板に起立固定するため、構造が複雑になって高価になるとともに、小型化が困難になるものであった。
【０００５】
【特許文献１】特開２００３−３３９８１３公報
【特許文献２】特開２００３−２９０３１４公報
【発明の開示】
【発明が解決しようとする課題】
【０００６】
本発明は、小型にすることにより、旅行時あるいは出張時に容易に携行することができるようにし、また、飛行機内の座席部、あるいはバス、電車内の座席部等のような狭い場所であっても簡便に使用することができるようにし、これにより、長時間の静座によって発生する血行不良を防止することができる新規な足裏簡易マッサージ器を得ることを目的とする。
【課題を解決するための手段】
【０００７】
本発明は、上記目的を達成するために以下の如く構成したものである。即ち、請求項１に係る発明は、足裏に局部的に当接する揉みローラーを設け、該揉みローラーを上方に突出させて回転自在に支持するベースを設ける構成にしたものである。
請求項２に係る発明は、前記揉みローラーに永久磁石を内装したものである。
請求項３に係る発明は、前記揉みローラーの外周に多数の突起を設けたものである。
請求項４に係る発明は、前記揉みローラーを左右の足裏に対応せさて左右に離間配置し、各揉みローラーを支持するベースは左右中心部で分割又は折畳みできるようにしたものである。
【発明の効果】
【０００８】
請求項１に係る発明は、揉みローラーに足を載せて前後に移動させると、揉みローラーが足裏に沿って転動し、この足裏を順次局部的に押圧することになる。これにより、揉みローラーの個数を少なくして足裏に点在するつぼ部を刺激したり、揉みほぐしたりすることができる。また、揉みローラーの個数を少なくすることができるので、装置が小型となり、バッグあるいは衣服のポケット等に収容して旅行時、あるいは出張時等に気軽に携行することができる。また、揉みローラーに足を載せて前後に移動させるのみであるため、飛行機内の座席部、バス、電車内の座席部等、狭い場所であっても容易に使用することができる。
請求項２に係る発明は、前記揉みローラーに永久磁石を内装したので、この永久磁石から発する磁力線の効能を付与しながら、足裏のつぼ部を刺激したり、揉みほぐしたりすることができる。
請求項３に係る発明は、前記揉みローラーの外周に多数の突起を設けたので、足裏のつぼ部の刺激、揉みほぐし機能がさらに高くなる。
請求項４に係る発明は、各揉みローラーに左右の足を個別に載せて前後動させることができるので、狭い場所であっても左右の足裏のつぼ部の刺激、揉みほぐしを同時に行なうことができる。また、不使用時にはベースを左右に分割、または折畳むことにより容易に携行することができる
【発明を実施するための最良の形態】
【０００９】
以下本発明の実施の形態を図面に基いて説明する。図面において、図１は本発明の第１実施例を示す正面図、図２は図１の平面図、図３は揉みローラーの側面図、図４は揉みローラーの正面図、図５は図３のV-V断面図、図６は本発明の第２実施例を示す正面断面図、図７は図６の部分断面平面図、図８は揉みローラーを左右に連結した状態の部分断面平面図、図９は本発明の第３実施例を示す正面図、図１０は図９の平面図である。
【００１０】
図１、図２において、１は足裏簡易マッサージ器（以下マッサージ器という）であり、ベース２の上面に脚３、軸４を介して揉みローラー５を回転自在に支持してなる。上記ベース２は、プラスチック材により、図２において、左右の長さが約１２０ｍｍ、左部が半径約４０ｍｍの広面積に、右部が半径約２５ｍｍの小面積となる異形楕円形状に形成され、広面積側の左部中心部に左右一対の脚３，３が一体的に起立固定されてなり、該脚３，３の上端部で上記揉みローラー５を左右軸心を中心として回転自在に支持する。
【００１１】
上記揉みローラー５は、ゴムあるいはプラスチック製のローラー主体６内に、磁束密度が約６００ｍＴ（ミリテスラ）の永久磁石７を収容してなり、ローラー主体６は、足裏の横幅よりも小幅な円柱状、即ち、図３〜図５に示すように、直径Ｄが約３８ｍｍ、幅Ｗが約１５ｍｍとなる短尺な円柱状に形成するとともに、外周部に軸方向に延びる１６個の突起６ａを円周方向に等ピッチで一体に形成し、中心部に金属製の軸４を圧入してその両端を左右に突出させてなる。なお、軸４はローラー主体６を形成する際に、これと同資材（プラスチック）により一体的に形成するようにしてもよい。
【００１２】
また、上記永久磁石７は、Ｓ極とＮ極とを円周方向に交互に有する厚い円盤状に形成され、上記ローラー主体６内に同心に配置して一体的に埋設され、ローラー主体６の外周部から発する磁束密度の最大値は約１４０ｍＴ（ミリテスラ）となっている。図５において、８はローラー主体６の左右両側に固着した金属製のサイドプレートであり、永久磁石７の磁力線がローラー主体６の左右両側から外部に漏洩するのを防止するためのものである。
【００１３】
上記突起６ａは、その軸方向（左右方向）の長さを揉みローラー５の幅Ｗよりも若干短くして、図４に示すように左右千鳥状に配列する。また、各突起６ａの断面形状は半円状とする。なお、上記突起６ａは円錐あるいは半球状にしてローラー主体６の外周に点在させるようにしてもよい。
【００１４】
上記の如くして形成した揉みローラー５を水平に配置し、その軸軸４の左右端部を前述した各脚３，３の上端部に回転自在に嵌合させる。そして、中心部に径方向の窓孔９ａを有する半球状のカバー９を形成し、該カバー９を上方から嵌合させるとともに、窓孔９ａから揉みローラー５の上半部を外部に露出させ、該カバー９により脚３，３の両側部を包囲する。なお、該カバー９はその下端部に形成した係止片（図示省略）によりベース２に着脱可能に係止されるようになっている。
【００１５】
次に、上記マッサージ器１の使用要領について説明する。例えば、右足１０の足裏１０ａをマッサージする際には、椅子に腰掛けた状態で、マッサージ器１を床に置き、図１、図２に示すように、ベース２を横向きにするとともに、その小面積側、つまり反揉みローラー５側を左足１１側に配置し、該小面積側を左足１１で押さえる。
【００１６】
次いで右足１０の足裏１０ａのつぼ部、例えば土踏まず部分を揉みローラー５の上面に載せ、該右足１０を前後に移動させる。さすれば、揉みローラー５が上記つぼ部に沿って転動し、各突起６ａを介して上記つぼ部を集中的に押圧し、この部を効率よく揉みほぐすことになる。また、ローラー主体６内に内装した永久磁石７から発する磁力線が上記足裏１０ａに照射されることになる。
【００１７】
また、左足１１の足裏１１ａをマッサージする際には、上記ベース２の小面積側、つまり反揉みローラー５側を前述と反対側に向け、この部を右足１０で押さえ、この状態で左足１１の足裏１１ａのつぼ部を揉みローラー５の上面に載せ、該左足１１を前後に移動させる。さすれば、前述と同様に、揉みローラー５が上記つぼ部に沿って転動し、この部を効率よく揉みほぐすことになる。また、ローラー主体６内に内装した永久磁石７から発する磁力線が上記足裏１１ａに照射されることになる。
【００１８】
図６〜図８は第２実施例を示す。図６において、１−１はマッサージ器であり、プラスチック材により一方の足裏形状に模擬化した偏平なベース２−１を形成し、該ベース２−１の左端部に前述と同様の揉みローラー５を左右軸線を中心として回転自在に取付ける。上記ベース２−１は、図７に示すように、その右端部に継手用の係合突起２ａと係合凹部２ｂとを形成する。該係合突起２ａと係合凹部２ｂとは、互いに係脱可能な球面状の突起、及び凹部とし、かつベース２−１の幅方向中心線（図７において上下中心線）に対して対称位置に形成する。２ｃはベース２−１の下面４隅部に固着したゴムシート等の滑り止めである。なお、上記ベース２−１の平面視の形状は楕円形、あるいは長方形としてもよい。その他は前述した第１実施例と略同様の構造となっている。
【００１９】
上記第２実施例のマッサージ器１−１を使用する際には、図８に示すように、２個のマッサージ器１−１ａ，１−１ｂを互いに背中合せにし、左部のマッサージ器１−１ａの係合突起２ａを右部のマッサージ器１−１ｂの係合凹部２ｂに嵌合係止し、右部のマッサージ器１−１ｂの係合突起２ａを左部のマッサージ器１−１ａの係合凹部２ｂに嵌合係止する。これにより、左右のマッサージ器１−１ａ，１−１ｂを背中合せにした状態で一体的に連結する。
【００２０】
この状態で、右足１０の足裏１０ａを上記左部のマッサージ器１−１ａの揉みローラー５の上面に、また、左足１１の足裏１１ａを上記右部のマッサージ器１−１ｂの揉みローラー５の上面に載せ、この状態で左右の足１０，１１を交互に、あるいは同時に前後に往復移動させる。さすれば、左右の各揉みローラー５，５が上記左右の足裏１０ａ，１１ａを局部的に加圧しつつ、該足裏１０ａ，１１ａに沿って転動し、該足裏１０ａ，１１ａのつぼ部を刺激するとともに、この部を効率よく揉みほぐすことになる。また、各ローラー主体６内に内装した永久磁石７から発する磁力線が上記足裏１０ａ，１１ａに照射されることになる。
【００２１】
図９、図１０は第３実施例を示す。図９、図１０において、１−２はマッサージ器であり、プラスチック材により左右に長い長方形状のベース２−２を形成し、該ベース２−２の左端部と右端部とに前述と同様の揉みローラー５（５ａ，５ｂ）を左右軸線を中心として回転自在に取付ける。なお、上記ベース２−２の平面視の形状は楕円形、あるいは左右中間部を小幅に搾った瓢箪形としてもよい。その他は前述した第１実施例と略同様の構造となっている。
【００２２】
上記第３実施例によれば、前述した第２実施例と同様に、左右の各揉みローラー５ａ，５ｂにより左右の足裏１０ａ，１１ａのつぼ部を刺激するとともに、この部を効率よく揉みほぐすことになる。また、ローラー主体６内に内装した永久磁石７から発する磁力線が上記足裏１０ａ，１１ａに照射されることになる。なお、上記ベース２−２は左右中心部で折畳み可能、例えば、ベース２−２を左右中心部で分割するとともに、該分割部にて両者を蝶番により下向きに屈曲可能に連結するようにしてもよい。このようにすれば、不使用時にベース２−２を左右中心部で折畳みむことにより、マッサージ器１−２を容易に携行することができる。
【００２３】
以上説明した如く、本発明は、足裏１０ａ，１１ａに局部的に当接する揉みローラー５をベース２（２−１，２−２）に回伝自在に設け、足１０，１１を前後に移動させることにより該揉みローラー５を足裏１０ａ，１１ａに沿って転動させるようにしたので、揉みローラー５の個数を少なくして足裏１０ａ，１１ａに点在する各つぼ部に刺激を付与するとともに、この部を効率よく揉みほぐし、また、同時にローラー主体６内の永久磁石から発する磁力線が上記足裏１０ａ，１１ａに照射することになる。これにより血行の増進を促すことができる。このことは、本発明を約２０分間使用したところ、安静時（静座時）に比し、血流速度が約１．６倍増加、血流量が約１．５倍増加した実験結果を得たことからも明らかである。
【００２４】
また、揉みローラー５の個数を少なくすることができるので、装置が小型になって旅行、あるいは出張時等に容易に携行することができる。また、足１０，１１を前後に移動させて足裏１０ａ，１１ａを揉みほぐすことができるので、小さな場所、例えば飛行機内の座席部、バス、電車内の座席部等で簡便に使用することができる。
【図面の簡単な説明】
【００２５】
【図１】本発明の第１実施例を示す正面図である。
【図２】図１の平面図である。
【図３】揉みローラーの側面図である。
【図４】揉みローラーの正面図である。
【図５】図３のV-V断面図である。
【図６】本発明の第２実施例を示す正面断面図である。
【図７】図６の部分断面平面図である。
【図８】揉みローラーを左右に連結した状態の部分断面平面図である。
【図９】本発明の第３実施例を示す正面図である。
【図１０】図９の平面図である。
【符号の説明】
【００２６】
１（１−１，１−２）    簡易足裏マッサージ器
２（２−１，２−２）    ベース
２ａ  係合突起
２ｂ  係合凹部
２ｃ  滑り止め
３    脚
４    軸
５（５ａ，５ｂ）    揉みローラー
６    ローラー主体
６ａ  突起
７    永久磁石
８    サイドプレート
９    カバー
９ａ  窓孔
１０    右足
１０ａ  右足の足裏
１１    左足
１１ａ  左足の足裏
【図１】
2005288137.tif 000003
【図２】
2005288137.tif 000004
【図３】
2005288137.tif 000005
【図４】
2005288137.tif 000006
【図５】
2005288137.tif 000007
【図６】
2005288137.tif 000008
【図７】
2005288137.tif 000009
【図８】
2005288137.tif 000010
【図９】
2005288137.tif 000011
【図１０】
2005288137.tif 000012